(57)【要約】      （修正有）【課題】建具用錠前のシリンダ錠の鍵穴に差し込み、解錠操作しても、把手とキーブレードとの接合部分が破損しない携帯型キーを提供する。【解決手段】キー２が把手１の収納位置から先端面に略直交する使用位置まで回転した時に、使用位置を保つ中立保持手段８を固定支軸５に設け、中立保持手段は、固定支軸の中心軸部分の同心円に形成された嵌合部分に所定の範囲内で回転自在に嵌合しかつキーの基端部の係合部分と係合可能な受け部分を有する回転板１０と、この回転板に一端部が支持された状態で中心軸部分に設けられ、一方、他端部が固定支軸に支持された保持バネ部材９とから成り、把手を回して操作する時に、保持バネ部材の保持係数の設定トルク値に対して固定支軸とキーの基端部の接合部分に設定トルク値を超える荷重が回転体を介して加わると、キーは保持バネ部材のバネ力に抗して使用位置からさらに回転する方向に位置変位する。【選択図】図５
2014084553.tif 000002
【特許請求の範囲】
【請求項１】
把手の先端部に固定支軸を介して回転可能に設けられ、かつ使用時に建具用錠前のシリンダ錠の鍵穴に差し込まれるキーブレードとから成る携帯型キーに於いて、前記キーブレードが前記把手の収納位置から先端面に略直交する使用位置まで回転した時に、該使用位置を保つ中立保持手段を前記固定支軸に設け、前記中立保持手段は、前記固定支軸の中心軸部分の同心円に形成された嵌合部分に所定の範囲内で回転自在に嵌合し、かつ前記キーブレードの基端部の係合部分と係合可能な受け部分を有する回転板と、この回転板に一端部が支持された状態で前記中心軸部分に設けられ、一方、他端部が前記固定支軸に支持された保持バネ部材とから成り、前記把手を回して操作する時に、前記保持バネ部材の保持係数の設定トルク値に対して、前記固定支軸と前記キーブレードの基端部の接合部分に該設定トルク値を超える荷重が前記回転体を介して加わると、前記キーブレードは、前記保持バネ部材のバネ力に抗して前記使用位置からさらに回転する方向に位置変位することを特徴とする携帯型キー。
【請求項２】
請求項１に於いて、中立保持手段を構成する保持バネ部材及び回転板は、一つの固定支軸に嵌合する状態で設けられており、前記保持バネ部材の一端部は回転板のバネ端支持部分に保持され、一方、その他端部は前記固定支軸のバネ端支持部分に保持されていることを特徴とする携帯型キー。
【請求項３】
請求項１に於いて、嵌合部分の凹所は、中心軸部分の同心円状に形成された環状凹所と、この環状凹所に連通する弧状凹所とから成り、一方、回転体は、保持バネ部材を介して前記環状凹所に嵌合する短筒状部分と、この短筒状部分から半径外方向に突出し前記弧状凹所内で回転する係合突起と、この係合突起に形成された前記保持バネ部材用のバネ端支持部と、さらに、前記短筒状部分に連設すると共にキーブレードの基端部の係合部分と係合可能な受け部分とを有することを特徴とする携帯型キー。
【請求項４】
請求項１に於いて、把手の先端部には、キーブレードが保持バネ部材のバネ力に抗して使用位置からさらに回転する方向に位置変位した時に、所定角度で受け止めるストッパー面が形成されていることを特徴とする携帯型キー。
【請求項５】
請求項１に於いて、把手はトランスポータを内蔵し、また前記固定支軸は、携帯型把手の中心を通る中心線に対して偏心する位置に設けられていることを特徴とする携帯型キー。
【発明の詳細な説明】
【技術分野】
【０００１】
本発明は、建物の扉の錠前の施・解錠に使用することができる携帯型キーに関する。
【背景技術】
【０００２】
特許文献１乃至特許文献３は、携帯型キーに関するものである。この種の携帯型キーは、合成樹脂材で成形された扁平状のキーヘッドと、このキーヘッドに一体的に取付けられた金属製のキーブレードとか成る。そして、使用時、前記キーブレードは、キーヘッドの側壁部に形成された凹所状収納部から引き出され、或いは付勢バネを含む飛び出し機構によって、凹所状収納部から飛び出し、使用位置まで突出する。なお、特許文献如何によっては、上記キーブレードは、キーケースの収納部から使用位置までそのままスライドさせて引き出す構造のものがある。いずれにしても、キーブレードは、錠前の鍵穴に差し込む使用時に、キーヘッドの先端部の先端面と直交するように、コンパクト型キーヘッドの長手方向に突出し、この突出した位置を「中立位置」とする。
【０００３】
しかしながら、特許文献１乃至特許文献３のメカニカルキーは、日常的に使用するメカニカルキーではないので、例えば建具の玄関ドアに設けられた錠前用の鍵穴に使用するには不向きであった。  
【０００４】
何故ならば、これら公知のメカニカルキーは、使用時は、把手を介してキーブレードに過度の荷重がかかった場合に、荷重を逃がす工夫が施されていないからである。
建具としてのドア用錠前は、色々にものが存在するが、中には、機械的にも電気的にも解錠可能な「電気錠」が存在する。そして、電気錠も種々の型式のものが存在するが、メカニカルキーで電気錠を解錠する際、デッドボルトを押し戻すバネ部材のバネ力が常に作用しているものもある。
【０００５】
付言すると、携帯型キーが、もっぱら車両のエンジンを切り換えるために使用されるのであれば問題はないが、比較的、デッドボルトを施錠方向に付勢するバネ力が強い建具用錠前に使用するためには、携帯型キーの「中立位置」を保持しながら、把手を介してキーブレードに掛かる過度の荷重を逃がしてやることが望まれる。それは、大きな操作力が把手を介してキーブレードに加わった時、キーの基端部の嵌合内周面（接合面）と把手の内面に形成された筒状支軸の外周面（接合面）や、合成樹脂材に成形された把手の先端部のキーが接触する先端縁が破損し、或いは破損する恐れがあるからである。そこで、このような問題点を解決するために本発明が出現した。
【０００６】
なお、特許文献４乃至特許文献６は、「ポップアップ式携帯キー」に関するもので、例えば特許文献６には、把手を構成するベース体（下方ケース）２９の先端部に割溝を有する筒状の支軸２７ｂを形成し、該筒状支軸内にコイルバネ４２と操作ボタン４１を組み込むと共に、該筒状支軸にキーの基端部（ヘッド部）１６の支持孔（嵌合孔）４８を外嵌合し、さらに、前記支持孔４８にキー飛び出し用のねじりばね５０を組み込み、キーを支持する挟持部材２８をカバー３０側に設ける事項が記載されている（符号は特許文献６のもの）。
【先行技術文献】
【特許文献】
【０００７】
【特許文献１】特開２００６−２４９８７５
【特許文献２】特開２００８−７５４９
【特許文献３】特開２００９−９５６８３
【特許文献４】特許第３８８６６９２号
【特許文献５】特表２０１２−５０１３９２
【特許文献６】特許第４６７３７７６号
【発明の概要】
【発明が解決しようとする課題】
【０００８】
本願発明の所期の目的は、建具用錠前のシリンダ錠の鍵穴に差し込み、解錠操作しても、把手とキーブレードとの接合部分が破損しない携帯型キーを提供することである。第２の目的は固定支軸を有効的に活用することである。第３の目的は、中立保持手段を固定支軸に合理的に組み合わせることができることである。
【課題を解決するための手段】
【０００９】
本発明の携帯型キーは、把手の先端部に固定支軸を介して回転可能に設けられ、かつ使用時に建具用錠前のシリンダ錠の鍵穴に差し込まれるキーブレードとから成る携帯型キーに於いて、前記キーブレードが前記把手の収納位置から先端面に略直交する使用位置まで回転した時に、該使用位置を保つ中立保持手段を前記固定支軸に設け、前記中立保持手段は、前記固定支軸の中心軸部分の同心円に形成された嵌合部分に所定の範囲内で回転自在に嵌合し、かつ前記キーブレードの基端部の係合部分と係合可能な受け部分を有する回転板と、この回転板に一端部が支持された状態で前記中心軸部分に設けられ、一方、他端部が前記固定支軸に支持された保持バネ部材とから成り、前記把手を回して操作する時に、前記保持バネ部材の保持係数の設定トルク値に対して、前記固定支軸と前記キーブレードの基端部の接合部分に該設定トルク値を超える荷重が前記回転体を介して加わると、前記キーブレードは、前記保持バネ部材のバネ力に抗して前記使用位置からさらに回転する方向に位置変位することを特徴とする。
【００１０】
上記構成に於いて、中立保持手段を構成する保持バネ部材及び回転板は、一つの固定支軸に嵌合する状態で設けられており、前記保持バネ部材の一端部は回転板のバネ端支持部分に保持され、一方、その他端部は前記固定支軸のバネ端支持部分に保持されていることを特徴とする。また、固定支軸の嵌合部分の凹所は、中心軸部分の同心円状に形成された環状凹所と、この環状凹所に連通する弧状凹所とから成り、一方、回転体は、保持バネ部材を介して前記環状凹所に嵌合する短筒状部分と、この短筒状部分から半径外方向に突出し前記弧状凹所内で回転する係合突起と、この係合突起に形成された前記保持バネ部材用のバネ端支持部と、さらに、前記短筒状部分に連設すると共にキーブレードの基端部の係合部分と係合可能な受け部分とを有する。また把手の先端部には、キーブレードが保持バネ部材のバネ力に抗して使用位置からさらに回転する方向に位置変位した時に、所定角度で受け止めるストッパー面が形成されていることを特徴とする。さらに、把手はトランスポータを内蔵し、また前記固定支軸は、携帯型把手の中心を通る中心線に対して偏心する位置に設けられていることを特徴とする。
【発明の効果】
【００１１】
（ａ）請求項１に記載の発明は、建具用錠前のシリンダ錠の鍵穴に差し込み、解錠操作しても、把手とキーブレードとの接合部分が破損しない。付言すると、キーブレードに掛かる過度の荷重に対して、キーブレードは、固定支軸に設けられた回転体を介して保持バネ部材のバネ力に抗して使用位置からさらに回転する方向に位置変位することから、中立保持手段は、いわば緩衝機能を発揮する。
（ｂ）請求項２に記載の発明は、中立保持手段を一つの固定支軸に嵌合する状態で設けたので、固定支軸を有効的に活用することができる。付言すると、例えば中立保持手段を構成する保持バネ部材用の支持部材を他の箇所に設ける必要がない。
（ｃ）請求項３に記載の発明は、中立保持手段を固定支軸に合理的に組み合わせることができる。
（ｄ）請求項４に記載の発明は、中立保持手段に無理な荷重が加わらないので、回転体や保持バネ部材を保護することができる。
（ｅ）請求項５に記載の発明は、把手の先端部のスペースを有効的に活用することができる。したがって、電気部品を収納するスペースを多く取ることができる。
【図面の簡単な説明】
【００１２】
図１乃至図１９は本発明の実施形態を示す各説明図。
【図１】携帯型キーを構成するキーブレードが使用（中立）位置まで回転した状態の斜視図。
【図２】キーブレードが収納位置に収まっている状態の右側面図。
【図３】携帯型把手の先端部側から見た説明図。
【図４】キーブレードを収納した状態の斜視図。
【図５】図４の５−５線の概略断面拡大説明図。
【図６】主要部の分解斜視図。
【図７】要部（固定支軸、中立保持手段、キーホルダー、操作ボタン用付勢バネ、操作ボタン等）の平面視からの分解説明図。
【図８】Ｓｔｅｐ１として、固定支軸に保持バネ部材を外嵌合状態に装着した斜視からの概略説明図。
【図９】Ｓｔｅｐ２として、保持バネ部材に回転体を外嵌合状態に装着した斜視からの概略説明図。
【図１０】図９における概略断面説明図。
【図１１】Ｓｔｅｐ３として、固定支軸の同軸上に於いて、回転体の上方にキーホルダーの筒状基端部が位置する斜視からの概略説明図（操作ボタン用付勢バネ及び操作ボタンは省略）。
【図１２】キーホルダーの筒状基端部の裏側に突出形成された係合部分の説明図。
【図１３】キーブレードの収納位置の説明図。
【図１４】収納位置から中途位置を経て中立位置に至るキーホルダーの係合部分の位置変位を示す説明図（中立保持手段の回転板はそのまま）。
【図１５】キーブレードが使用位置まで回転した状態の説明図。
【図１６】要部（操作ボタン用付勢バネ、操作ボタンの係止構造）の概略説明図。
【図１７】主要部（固定支軸、中立保持手段を構成する回転板と保持バネ部材）の概略断面説明図。
【図１８】主要部の作用を示す説明図（特に、保持力が左側に解除された説明）。
【図１９】建物の扉の錠前の施・解錠に使用する説明図。
【発明を実施するための最良の形態】
【００１３】
図１乃至図１９は、本発明の一実施形態の携帯型キーＸである。特に、図１は携帯型キーＸを構成するキーブレード（以下、「キー」という。）２が使用（中立）位置まで回転した状態の斜視図、図６は主要部の分解斜視図、図７は固定支軸５、中立保持手段８、キーホルダー３、操作ボタン用付勢バネ１１、操作ボタン１２等の要部を平面視から示した分解説明図、図８は固定支軸５に中立保持手段８を構成する保持バネ部材９を外嵌合状態に装着した斜視からの概略説明図である。ここで、図１、図６、図７及び図８を参照にして、主な構成部材を概略的に説明する。
【００１４】
１は把手で、この把手１は、ベース体１３とこのベース体１３に固定される蓋板１７とから成る（図６参照）。図１を基準にすると、１ａは把手１の先端部、一方１ｂは把手１の後端部である。把手１の手前側の一側壁には横向き凹所のキー用収納部１５が形成されている。キー２は、キー用収納部１５から図１で示す使用位置（中立位置）まで略１８０度回転して停止する。この時キー２は、後述する中立保持手段８のストッパー機能を有する回転体１０の受け部分１０ｄの端面で受け止められている。
【００１５】
前記キー２は、筒状基端部３ａ及び該筒状基端部３ａに連設する接続部分３ｂを有するキーホルダー３と、このキーホルダー３の前記接続部分３ｂに差し込み固定されるキー本体（ブレード部分）４とから成る（図６参照）。
【００１６】
５は把手１の先端部１ａの偏心部位に設けられた固定支軸で、この固定支軸５は、例えば図７や図８で示すように、柱状の中心軸部分６と、この中心軸部分６の下部（本実施形態ではベース体１３の上面）に同心円状に突壁状に周設され、かつ内側に凹所７ａを有する嵌合部分７とから成る。前記中心軸部分６は、上端部が段差状に形成され、その大径部分６ａには保持バネ部材９が外嵌合し、一方、小径部分６ｂには操作ボタン用付勢バネ１１の下端部を保持するバネ端用係止部分６ｃが形成されている。そして、後者の小径部分６ｂの上端部は、前記操作ボタン用付勢バネ１１の下端部を支持する。
【００１７】
本発明の特徴的技術手段は、図６、図７等で示す中立保持手段８である。この中立保持手段８は、例えば把手１のベース体１３の先端部上面に設けられたキー用の固定支軸５と、この固定支軸５の同心円に突壁状に形成された嵌合部分７に所定の範囲内で回転自在に内嵌合又は外嵌合すると共に、キー２の中立位置からの荷重によりキー２のさらなる回転に基づいて所定量回転する回転体１０と、その一端部が前記固定支軸５に係止され、一方、他端部が該回転体１０に係止された保持バネ部材９とから成り、前記中立保持手段８は、所定のトルクを超えない範囲内で、把手１の収納部１５から略１８０度回転した突出した中立位置から、キー2がさらに回転しないように保持する機能を有する（キー2の中立位置保持機能）。
【００１８】
付言すると、本発明は、キー２が把手１の収納位置１５から先端面に略直交する使用位置まで回転した時に、該使用位置（中立状態）を保つ中立保持手段８を把手１の先端部１ａの固定支軸５に設け、前記中立保持手段８は、前記固定支軸５の中心軸部分６の同心円に形成された嵌合部分７に所定の範囲内で回転自在に嵌合し、かつ前記キー２の筒状基端部３ａの内周壁に突設された周方向の係合部分２２と係合可能な周方向の受け部分１０ｄを有する回転板１０と、この回転板に一端部９ａが支持された状態で前記中心軸部分６に設けられ、一方、他端部９ｂが前記固定支軸５に支持された保持バネ部材９とから成り、錠前の鍵穴にキー本体４を差し込んで前記把手１を回して操作する時に、前記保持バネ部材９の保持係数の設定トルク値に対して、前記固定支軸５と前記キー２の基端部３ａの接合部分に該設定トルク値を超える荷重が前記回転体１０を介して加わると、前記キー２は、前記保持バネ部材９のバネ力に抗して前記使用位置からさらに回転する方向に位置変位する（特徴部分）。
【００１９】
ところで、この種の携帯型キーは、普通一般に、鍵（キーブレード）が、固定支軸を介して把手（ケース）の側壁の凹所状収納部から回転して把手の先端面と直交する位置まで突出し、鍵の基端部或いは把手の先端部及び支軸に形成されたオス・メスの係止手段によって左右に振れないように係止されている（例えば特開昭６３−１１０３７７号の図１、特表２０１２−５０１３９２号の図１）。
【００２０】
しかしながら、本実施形態では、把手１はその先端部１ａに上述した特徴的技術手段である固定支軸５と中立保持手段８を備え、把手１を回して操作する時に、中立保持手段８を構成する保持バネ部材９の保持係数の設定トルク値に対して、前記固定支軸５とキー２の基端部３ａの接合部分に該設定トルク値を超える荷重が前記回転体１０を介して加わると、前記キー２は、前記保持バネ部材９のバネ力に抗して前記使用位置からさらに回転する方向に位置変位する（キー２が中立位置から荷重が加わる方向へ緩衝的に逃げる）。
【００２１】
またこの種の携帯型キーは、普通一般に、筒状支軸或いは鍵の基端部に形成した軸受リングに嵌め込んで操作ボタンを軸方向に押し込むと（例えば特開昭６３−１１０３７７号）、鍵側の係止部分から操作ボタン側の係合突起が外れ、その結果、筒状支軸等に組み込まれた圧縮バネの復帰力により、鍵がケースの収納部から飛び出す構造となっているが、本実施形態も、図６、図７、図１６等で示すように、固定支軸５の同軸上に把手１の蓋体１７の円形貫通孔１８に嵌合する操作ボタン１２と、該操作ボタン用付勢バネ１１が設けられ、前記操作ボタン用付勢バネ１１は、同時にキー２を外方向へ略１８０度飛び出させる機能も有している。
【００２２】
したがって、本実施形態では、該操作ボタン１２を操作ボタン用付勢バネ１１のバネ力に抗して押し込むと、操作ボタン１２の外周面の縦方向の係合突片１２ｂが蓋体１７の被係合部分（縦溝）１９から外れとると同時にキー２の筒状基端部３ａの内周壁上端部に形成した被係合部分（係合溝）に係合し、これにより、操作ボタン１２とキー２は操作ボタン用付勢バネ１１のバネ力によって同時に回転し始め、実施形態では、キー２は把手１の一側壁の凹所状収納部15から略１８０度飛び出すように回転する。しかし、付勢バネ１１及び操作ボタン１２等は、発明の課題との関係では、発明の本質的事項ではないものの、組み合わせの際、蓋体１７の円形貫通孔１８及びベース体１３の固定支軸５の中心軸部分６に関係しているので、図１６を参照にして簡単に説明する。図１６に於いて、上方から説明すると、１８は蓋体１７の円形貫通孔、１９は左右一対の被係合部分（例えば山形状の係合溝）、１２は内部にバネ端係止部分１２ａ及び外部に左右一対の縦方向係合突片１２ｂを有する操作ボタン、１１は操作ボタン用付勢バネ、１３はベース体、５は固定支軸、６は固定支軸を構成する中心軸部分である。
【００２３】
上記付勢バネ１１は、その上端部１１ａが操作ボタン１２のバネ端係止部分１２ａに固定されかつ所定方向にねじりを加えた状態で、その下端部１１ｂが前記中心軸部分６の係止部分６ｃに係止される。したがって、付勢バネ１１は、中心軸部分６の小径部分６ｂに乗っかり、その状態でキャップ状の操作ボタン１２に包まれる格好となる。また、操作ボタン１２の上端部は蓋体１７の円形貫通孔に嵌挿状態となる。そして、図５で示したように、キー２の筒状基端部３ａが上記部材に外嵌合状態と成る。
【００２４】
さて、図１９で示すように、本実施形態の携帯型キーＸは、主に、建具としてのドア３８の自由端部３８ａに設けられた錠前３９のシリンダ錠４０の鍵穴４０ａにメカニカルキーとしてのキー本体（ブレード部分）４を差し込む際に使用される。その際、大きな操作力が把手１を介してキー２に加わった時、キーの基端部、本実施形態では、キーホルダー３の筒状基端部３ａの嵌合内周面（接合面）と把手１の内面に形成された固定支軸５の外周面（接合面）や、合成樹脂材で成形された把手１の先端部１ａのキーホルダー３の筒状基端部３ａの外面が接触する先端縁が破損し、或いは破損する恐れがある。そこで、このような問題点を解決するために本発明が出現した。
【００２５】
図４は、キー２がコンパクト型ケース或いは扁平型ケースの把手１の一側部にその長手方向に形成されたキー収納溝或いは凹所状の収納部７に完全に収まっている状態である。これに対して、図１はキー２が使用位置まで回転した状態である。すなわち、この時、キー２は略中心線Ｏ上の中立位置に中立保持手段８（保持バネ部材９と回転体１０）に保持されている。ここで「略中心線Ｏ上」の「略」とは、おおよその意味であり、例えば多少の、＋αの回転角を加味した場合も含まれる。したがって、キーブレード２が完全に中立位置まで突出した際に、キーが容易に動かないように保持バネ部材９でキー２を保持するためのα角を、例えば２度程度加味したやや傾倒状態の場合も含まれる。この実施形態では、把手１と、該把手１にキー２を構成するキーホルダー３の筒状基端部３ａに、前述したように、操作ボタン１２を備えた弾性復帰的な鍵飛び出し用付勢バネ１１を組み込むために、やや複雑な構成になっているが、筒状基端部３ａの嵌合孔の構造や固定支軸５の構成は、任意に設計変更することができる。
【００２６】
図５は、図４の５−５線概略断面の拡大説明図、図６は主要部の分解斜視図である。例えば図６で示すように、把手１は、例えばベース体（下ケース）１３と、図示しない固定手段（例えば単数又は複数個の固着具）を介して該ベース体１３に重なるように合体する蓋体（上ケース）１７とから成る。
【００２７】
把手１は、単なる扁平型基盤であっても良く、望ましくはドア３８側の錠前３９の錠制御装置に対する電子認証用の交換手段を含む電子回路（トランスポーター）を内蔵した扁平状のケースである。本実施形態では、図示しないトランスポータを内蔵するために、ベース体１３の内面に形成された突壁状周壁１３ａで囲まれた凹所１４に電子回路が収納される。そのために、固定支軸５をベース体１３の先端部内面の偏心位置に突出形成している。そして、実施形態では、前記突壁状周壁１３ａの前記固定支軸５側には、凹所状の収納部１５に連通するやや弧状のストッパー面１６が形成され、該弧状ストッパー面１６は先端部にベース体１３の先端面と直交状態に交差する受面１６ａを含み、使用時、前記キー２が保持バネ部材９のバネ力に抗して使用位置からさらに傾く方向に回転した場合に所定の角度で、それ以上過度に回転しないように受け止める。
【００２８】
小判形状の蓋体（上ケース）１７の先端部には、操作ボタン１２用の円形貫通孔１８が形成され、該円形貫通孔１８は固定支軸５と同軸上に形成されている。符号１１はキー飛び出し用付勢バネで、この付勢バネ１１の上端部１１ａはキャップ状操作ボタン１２の内部に形成された係止部分１２ａに係止され、一方、他端部１１ｂは把手１を構成するベース体１３に設けられた固定支軸１２ｂのバネ端用係止溝７ｂに係止固定されている。
【００２９】
図６にはキー２の分解状態も示されている。実施形態のキー２は、把手１に対して、交換可能な鍵部品である。キー２の筒状基端部３ａは、組合せの際、ベース体１３の固定支軸５に、幾つかのＳｔｅｐを経た後に固定支軸５に外嵌合する。
【００３０】
実施形態の保持バネ部材９及び回転板１０は、一つの中心軸部分６及び嵌合部分７にそれぞれ嵌合（保持バネ部材９は中心軸部分６に対して外嵌合、回転板１０はその下端部が中心軸部分６に対して外嵌合であると共に嵌合部分７に対して内嵌合）する状態で設けられており、前記保持バネ部材９の下端部９ａは、固定支軸５を構成する嵌合部分７のバネ端支持溝７ｂに係止され、一方、その上端部９ｂは、回転板１０に形成されたバネ端支持部１０ｃに固定的に保持されている。
【００３１】
固定支軸５と回転体１０の構成について説明する。固定支軸５を構成する嵌合部分７の凹所７ａは、中心軸部分６の同心円状に形成された不番の環状凹所と、この環状凹所にそれぞれ対向状態に連通する左右一対の弧状凹所とから成り、一方回転体１０は、一方、回転体１０は、保持バネ部材９を介して前記環状凹所に嵌合する短筒状部分１０ａと、この短筒状部分から半径外方向に突出し前記弧状凹所内で回転する単数又は複数の羽状の係合突起１０ｂと、この係合突起の一つに形成された前記保持バネ部材用のバネ端支持部１０ｃと、さらに、前記短筒状部分１０ａの上方に段差状に連設すると共に、キー２の筒状基端部３ａの内周壁下部に周方向に弧状に突出形成された係合部分２２と係合可能な受け部分１０ｄとを有する。
【００３２】
ここで図８乃至図１１を参照にして、キー２の筒状基端部３ａを固定支軸５に装着する一例について説明する。キー２は、ベース体１３の固定支軸５に、幾つかのＳｔｅｐを経た後に、保持バネ部材９、回転体１０を介して固定支軸５に外嵌合する点は説明した通りである。
【００３３】
まず図８は、Ｓｔｅｐ１として、固定支軸５の中心軸部分６に保持バネ部材９を外嵌合状態に装着した斜視からの概略説明図である。この時保持バネ部材９の一端部９ａは、固定支軸５の嵌合部分７に形成した半径方向のバネ端用係止溝７ｂに固定的に嵌め込まれる。
【００３４】
次に図９は、Ｓｔｅｐ２として、保持バネ部材９に回転体１０を外嵌合状態に装着した斜視からの概略説明図である。この時、回転体１０の下端部側に相当する短筒状部分１０ａは、固定支軸５の嵌合部分７の内側の凹所７ａに内嵌合し、前述した保持バネ部材９の他端部９ｂは回転体１０のバネ端支持部１０ｃに固定的に保持される。図１０は、固定支軸５に対する中立保持手段８に装着状態の一例を示す概略断面説明図である。
【００３５】
そして、図１１は、Ｓｔｅｐ３として、固定支軸５の同軸上に於いて、回転体１０の上方にキーホルダー３の筒状基端部３ａが位置する斜視からの概略説明図である。図１１では、便宜上、操作ボタン用付勢バネ１１及び操作ボタン１２は省略してあるが、図５で示すように、Ｓｔｅｐ３の場合には、予め操作ボタン１２の内側のバネ端係止部分１２ａに付勢バネ１１の上端部１１ａを係止させ、その状態で前記付勢バネ１１の下端部１１ｂを中心軸部分６の小径部分６ｂに形成した係止部分溝６ｃに係止させ、該中心軸部分６の上端部に勢バネ１１と共に操作ボタン１２を載せ、然る後に、キー２の筒状基端部３ａの嵌合孔２１を、図５で示すように固定支軸、中立保持手段８に外嵌合させる。キー２を中立保持手段８を介して固定支軸５に回転可能に装着すると、キー２は、実施形態では、付勢バネ１１のバネ力により、固定支軸５を中心として軸周りに回転可能と成る。
なお、操作ボタン１２及び付勢バネ１１を発明の特定事項としない実施形態の場合には、キー２は手動で使用位置まで回される。
【００３６】
ここで図１２を参照にして、キーホルダー３の筒状基端部３ａの新規構成について説明する。図１２はキーホルダー３の筒状基端部３ａの裏側に弧状に突出形成された係合部分２２を示す。また図１３はキー２の収納位置を示す。実施形態のキー２の係合部分２２は、キー２が収納位置から中途位置を経て略１８０度回転して中立位置に至った時に、回転体１０を保持バネ部材９のバネ力に抗して回転させる場合に重要な意味を持つ。
そこで、図１４の（ａ）乃至（ｄ）を参照にして、筒状基端部３ａの弧状係合部分２２の位置変位について説明する。図１４（ａ）乃至（ｄ）では、キー２はいずれも時計方向（右回り）に回転する。
【００３７】
まず、図１４（ａ）の収納位置では、弧状突起の係合部分２２は把手１の収納部１５側（図面上、右上）に位置し、該係合部分２２の一端部２２ａは回転体１０の弧状突起の受け部分１０ｄの一端面ａに略当接している。換言すると、係合部分２２の他端部２２ｂは回転体１０の弧状突起の受け部分１０ｄの反対側の他端面ｂから略１８０度離れている。
【００３８】
次に図１４（ｂ）の中途位置では、弧状突起の係合部分２２は把手１の収納部１５側から回転しながら多少離れる（図面上、右側）。この時、係合部分２２の一端部２２ｂは回転しながら受け部分１０ｄの一端面ａから次第に離れて行く。何故ならば、回転体１０は回転しないからである。次に図１４（ｃ）は、係合部分２２が略１８０度回転した状態で、該係合部分２２は把手１の収納部１５側から相当離れている。この時、キー２は使用位置（中立位置）まで回転したので、係合部分２２の他端部２２ｂは回転体１０の受け部分１０ｄの他端面ｂに当接し、ストッパー機能を有する中立保持手段８（９、１０）で、使用位置（中立位置）が保持されている。
【００３９】
そして、図１４（ｄ）は、把手１を回して操作する時に、中立保持手段８の保持バネ部材９の保持係数の設定トルク値に対して、把手１の固定支軸５とキー２の筒状基端部３ａの接合部分に該設定トルク値を超える荷重が中立保持手段８の回転体１０を介して加わり、キー２が保持バネ部材９のバネ力に抗して図１４（ｃ）の使用位置からさらに回転する方向に位置変位した状態を示す。この時、回転体１０の受け部分１０ｄの他端面ｂは、キー２の係合部分２２の他端部２２ｂに押されることから、回転体１０は中立位置から保持バネ部材９のバネ力に抗して時計方向に回転する。
【００４０】
上記図１４の（ａ）乃至（ｄ）は、主にキー２の係合部分２２の位置変位に視点を置いた説明図であるのに対して、図１７は固定支軸５を基準にしたキー２と中立保持手段８（保持バネ部材９、回転板１０）の位置変位の説明図である。前述したように、キー２の係合部分２２は回転しながら中立位置へと回転するが、それまでは回転板１０は静止状態である。そして、図１７の上方の図は、キー２が中立位置の状態を示す。この時、回転板１０は中立位置を保持した初期位置に存在する。そこで、キー２に所定以上の荷重が加わり、キー２が図１４（ｄ）の状態に成ると、図１７の左下の図の如く、回転板１０は保持バネ部材９のバネ力に抗して固定支軸５の嵌合部分７の凹所７ａ内で回転する。なお、図１７の右下の図の如く、キー２が戻る方向へ回転した場合には、保持バネ部材９のバネ力は回転板１０に何ら作用しない。なお、図１５はキーブレードが使用位置まで回転した状態の説明図、図１６は要部（操作ボタン用付勢バネ１１、操作ボタン１２の係止構造）の概略説明図である。操作ボタン１２の係止構造等は、発明の限定要件ではないので、詳細な説明は省略する。
【実施例】
【００４１】
本実施形態は、特許文献４乃至特許文献６に記載の如く「ポップアップ式携帯キー」であるが、本実施形態も、望ましくは、ポップアップ式携帯キーである。また、ドア３８側の錠前３９の錠制御装置に対する電子認証用の交換手段を含む電子回路（トランスポーター）を内蔵するか否かを問わず適用することができる。
【産業上の利用可能性】
【００４２】
本発明は、建物の扉の錠前を機械式に施・解錠する際に使用することができる。
【符号の説明】
【００４３】
Ｘ…携帯型キー、２…携帯型把手、１ａ…先端部、２…キーブレード（キー）、３…キーホルダー、３ａ…筒状基端部、３ｂ…接続部分、４…キー本体、５…固定支軸、６…中心軸部分、７…嵌合部分、７ａ…凹所、７ｂ…バネ端用係止溝、８…中立保持手段、９…保持バネ部材、１０…回転体、１０ａ…短筒状部分、１０ｂ…係合突起、１０ｃ…バネ端支持部、１０ｄ…受け部分、１１…操作ボタン用付勢バネ、１２…操作ボタン、１３…ベース体、１６…ストッパー面、１７…蓋体、１８…円形貫通孔、２１…嵌合孔、２２…係合部分、２３…係合溝、Ｏ…中心線、ａ…受け部分の一端部、ｂ…受け部分の他端部、２２ａ…係合部分の一端部、２２ｂ…係合部分の他端部、３８…ドア、３９…錠前。
【図１】
2014084553.tif 000003
【図２】
2014084553.tif 000004
【図３】
2014084553.tif 000005
【図４】
2014084553.tif 000006
【図５】
2014084553.tif 000007
【図６】
2014084553.tif 000008
【図７】
2014084553.tif 000009
【図８】
2014084553.tif 000010
【図９】
2014084553.tif 000011
【図１０】
2014084553.tif 000012
【図１１】
2014084553.tif 000013
【図１２】
2014084553.tif 000014
【図１３】
2014084553.tif 000015
【図１４】
2014084553.tif 000016
【図１５】
2014084553.tif 000017
【図１６】
2014084553.tif 000018
【図１７】
2014084553.tif 000019
【図１８】
2014084553.tif 000020
【図１９】
2014084553.tif 000021
【手続補正書】
【提出日】平成25年4月16日(2013.4.16)
【手続補正１】
【補正対象書類名】図面
【補正対象項目名】図１
【補正方法】変更
【補正の内容】
【図１】
2014084553.tif 000022
【手続補正２】
【補正対象書類名】図面
【補正対象項目名】図４
【補正方法】変更
【補正の内容】
【図４】
2014084553.tif 000023